(57)【特許請求の範囲】
【請求項１】
パネルや棚板等のオプション部材を取り付け可能な枠体と、この枠体を自立可能に支持する左右１対のベースとを具備するものであって、
前記ベースを前記枠体の最も外側の面よりも所定距離内方に位置付け、枠体と同一又は略同一の幅寸法を有する机の反使用端側に配置した場合に、この机の左右１対の支持脚を、前記各ベースの外側にそれぞれ配置し得るように構成しているとともに、
前記枠体が左右に離間させて配置した１対の縦枠部材と、前記縦枠部材の上端部間に横架させた上枠部材と、この上枠部材より下方において前記縦枠部材間に横架させた下枠部材とを有し、前記下枠部材の両端部に前記ベースを取り付けるように構成し、
さらに、前記ベースが、前後に延びる形状をなすベース本体と、前記ベース本体の外方に縦枠部材を取り付ける縦枠部材取付部と、前記ベース本体の内方に下枠部材を取り付ける下枠部材取付部とを一体に備えたものであることを特徴とする枠構造体。
【請求項２】
前記枠体が左右に離間させて配置した１対の縦枠部材と、前記縦枠部材の上端部間に横架させた上枠部材と、この上枠部材より下方において前記縦枠部材間に横架させた下枠部材とからなることを特徴とする請求項１記載の枠構造体。
【請求項３】
パネルや棚板等のオプション部材を取り付け可能な枠体と、この枠体を自立可能に支持する左右１対のベースとを具備するものであって、
前記ベースを前記枠体の最も外側の面よりも所定距離内方に位置付け、枠体と同一又は略同一の幅寸法を有する机の反使用端側に配置した場合に、この机の左右１対の支持脚を、前記各ベースの外側にそれぞれ配置し得るように構成し、
前記枠体が左右に離間させて配置した１対の縦枠部材と、前記縦枠部材の上端部間に横架させた上枠部材と、この上枠部材より下方において前記縦枠部材間に横架させた下枠部材とからなり、前記下枠部材の両端部に前記ベースを取り付けるように構成したものであるとともに、
前記ベースが、前後に延びる形状をなすベース本体と、前記ベース本体の外方に縦枠部材を取り付ける縦枠部材取付部と、前記ベース本体の内方に下枠部材を取り付ける下枠部材取付部とを一体に備えたものであることを特徴とする枠構造体。
【請求項４】
パネルや棚板等のオプション部材を取り付け可能な枠体と、前記枠体の最も外側の面よりも所定距離内方に位置付けてなる左右１対のベースとを具備し、
前記ベースを前記枠体の最も外側の面よりも所定距離内方に位置付け、枠体と同一又は略同一の幅寸法を有する机の反使用端側に配置した場合に、この机の左右１対の支持脚を、前記各ベースの外側にそれぞれ配置し得るように構成しているとともに、
前記枠体が左右に離間させて配置した１対の縦枠部材と、前記縦枠部材の上端部間に横架させた上枠部材と、この上枠部材より下方において前記縦枠部材間に横架させた下枠部材とを有し、前記下枠部材の両端部に前記ベースを取り付けるように構成し、
さらに、前記ベースが、前後に延びる形状をなすベース本体と、前記ベース本体の外方に縦枠部材を取り付ける縦枠部材取付部と、前記ベース本体の内方に下枠部材を取り付ける下枠部材取付部とを一体に備えた自立可能な枠構造体と、この枠構造体と共に用い得る机であって、
前記机が、天板と、該天板の両側端部を支持する左右１対の支持脚を具備してなるとともに、前記枠構造体と同一ないし略同一の幅寸法を有し、前記枠構造体を天板の反使用端側に配置した場合に、左右１対の支持脚が、前記枠構造体の各ベースの外側にそれぞれ配置されるように構成した机であることを特徴とする枠構造体と机。
【請求項５】
前記机の天板の幅寸法を、前記枠構造体の外側面間の距離と略一致させ、前記支持脚を前記枠構造体のベースの外側に配置し、天板の反使用端に前記枠構造体を最大限近づけた状態で前記天板の外側面が前記枠構造体の外側面と面一ないし略面一となるように構成したことを特徴とする請求項４記載の枠構造体と机。
【請求項６】
前記机の前記支持脚が、鉛直方向に起立して天板を支持する支持脚本体と、この支持脚本体の下端部から前後対称に突出して接地する机ベースとからなることを特徴とする請求項４又は５記載の枠構造体と机。
【発明の詳細な説明】
【０００１】
【発明の属する技術分野】
本発明は、オフィス等で好適に用いられる枠構造体及び机に関する。
【０００２】
【従来の技術】
オフィス等において、机の配置を含むオフィスレイアウトの自由度を高めるために、机は単純に天板と支持脚のみで構成するようにし、机に付帯される棚やデスクトップパネル等を机とは別部材で構成したいという要望がある。この要望に応えるために、棚などを取付可能に構成した枠構造体を机の反使用端に接近させて配置することが考えられる。このような枠構造体として安定した自立性のある構造を有するものには、支柱の真下にベースを配置してその本体たる枠体を支持させるように構成したものが考えられる。
【０００３】
【発明が解決しようとする課題】
ところが、机の幅寸法は略規格化されているが、この机の幅寸法に上述したような構成の枠構造体の幅寸法を単純に一致させたのでは、通常は天板の側端部に沿って配置される机の支持脚と枠構造体のベースとが干渉して枠構造体を机に接近させることができないため、枠構造体と机との間に無駄なスペースが生じるなどの不具合が生じる。
【０００４】
本発明は以上の不具合を解消すべく、枠構造体と机とを接近させることができるように構成することで、机本来の機能とそれに付帯する機能とを分離し、フレキシブルなオフィスレイアウトの構築を実現しようとするものである。
【０００５】
【課題を解決するための手段】
すなわち、本発明に係る枠構造体の一つは、パネルや棚板等のオプション部材を取り付け可能な枠体と、この枠体を自立可能に支持する左右１対のベースとを具備するものであって、前記ベースを前記枠体の最も外側の面よりも所定距離内方に位置付け、枠体と同一又は略同一の幅寸法を有する机の反使用端側に配置した場合に、この机の左右１対の支持脚を、前記各ベースの外側にそれぞれ配置し得るように構成しているとともに、前記枠体が左右に離間させて配置した１対の縦枠部材と、前記縦枠部材の上端部間に横架させた上枠部材と、この上枠部材より下方において前記縦枠部材間に横架させた下枠部材とを有し、前記下枠部材の両端部に前記ベースを取り付けるように構成し、さらに、前記ベースが、前後に延びる形状をなすベース本体と、前記ベース本体の外方に縦枠部材を取り付ける縦枠部材取付部と、前記ベース本体の内方に下枠部材を取り付ける下枠部材取付部とを一体に備えたものであることを特徴とする。
また、本発明に係る枠構造体の他の一つは、パネルや棚板等のオプション部材を取り付け可能な枠体と、この枠体を自立可能に支持する左右１対のベースとを具備するものであって、前記ベースを前記枠体の最も外側の面よりも所定距離内方に位置付け、枠体と同一又は略同一の幅寸法を有する机の反使用端側に配置した場合に、この机の左右１対の支持脚を、前記各ベースの外側にそれぞれ配置し得るように構成し、前記枠体が左右に離間させて配置した１対の縦枠部材と、前記縦枠部材の上端部間に横架させた上枠部材と、この上枠部材より下方において前記縦枠部材間に横架させた下枠部材とからなり、前記下枠部材の両端部に前記ベースを取り付けるように構成したものであるとともに、前記ベースが、前後に延びる形状をなすベース本体と、前記ベース本体の外方に縦枠部材を取り付ける縦枠部材取付部と、前記ベース本体の内方に下枠部材を取り付ける下枠部材取付部とを一体に備えたものであることを特徴とする。
【０００６】
このように構成すると、机の支持脚と枠構造体のベースとを干渉させることなく枠構造体を机に接近させることができるので、枠構造体と机の間に無駄なスペースが生じることがなく、室内空間を存分に利用して、オフィスレイアウトの自由度を飛躍的に向上することができる。また、机本来の機能は机に果たさせる一方で、棚やデスクトップパネル、幕板等のオプション的な機能は枠構造体に担わせることができる。
【０００７】
また、このように支柱をベースの外方に位置付けた場合に、単純に支柱の下端部間に下枠部材を取り付け、下枠部材にさらにベースを取り付けた際にはそれぞれの接合部においてねじれや歪み等に対する強度低下が発生するが、本発明の枠構造体では、そのベースを、前後に延びる形状をなすベース本体と、前記ベース本体の外方に支柱を取り付ける支柱取付部と、前記ベース本体の内方に下枠部材を取り付ける下枠部材取付部とを一体に備えるように構成したので、すなわちベースに支柱取付部と下枠部材取付部とを一体に備えたので、枠体に対する十分な支持強度が確保でき、上述した強度低下を解消できる。
【０００８】
このような枠構造体の具体的な実施態様として、前記枠体が左右に離間させて配置した１対の縦枠部材と、前記縦枠部材の上端部間に横架させた上枠部材と、この上枠部材より下方において前記縦枠部材間に横架させた下枠部材とからなるものを挙げることができる。なお、下枠部材を前記縦枠部材間に横架させ、前記下枠部材の両端部に前記ベースを取り付けた状態とは、縦枠部材と下枠部材の両端との間にベースをそれぞれ挟んで下枠部材を架け渡した状態をも含む。
【０００９】
パネルや棚板等のオプション部材を取り付け可能な枠体と、前記枠体の最も外側の面よりも所定距離内方に位置付けてなりこの枠体を自立可能に支持する左右１対のベースとを具備し、前記ベースを前記枠体の最も外側の面よりも所定距離内方に位置付け、枠体と同一又は略同一の幅寸法を有する机の反使用端側に配置した場合に、この机の左右１対の支持脚を、前記各ベースの外側にそれぞれ配置し得るように構成しているとともに、前記枠体が左右に離間させて配置した１対の縦枠部材と、前記縦枠部材の上端部間に横架させた上枠部材と、この上枠部材より下方において前記縦枠部材間に横架させた下枠部材とを有し、前記下枠部材の両端部に前記ベースを取り付けるように構成し、さらに、前記ベースが、前後に延びる形状をなすベース本体と、前記ベース本体の外方に縦枠部材を取り付ける縦枠部材取付部と、前記ベース本体の内方に下枠部材を取り付ける下枠部材取付部とを一体に備えた枠構造体と、この枠構造体と共に用い得る机であって、前記机が、天板と、該天板の両側端部を支持する左右１対の支持脚を具備してなるとともに、前記枠構造体と同一ないし略同一の幅寸法を有し、前記枠構造体を天板の反使用端側に配置した場合に、左右１対の支持脚が、前記枠構造体の各ベースの外側にそれぞれ配置されるように構成した机であることを特徴とする。
【００１０】
このように構成した場合も、机の支持脚と枠構造体のベースとが干渉することなく枠構造体を机に接近させることができるので、枠構造体と机の間に無駄なスペースを生じることなく、室内空間を存分に利用して、オフィスレイアウトの自由度を飛躍的に向上することができる。また、机本来の機能は机に果たさせる一方で、棚やデスクトップパネル、幕板等のオプション的な機能は枠構造体に担わせることができる。また、この机の支持脚間の距離は、机の反使用端側に配置した枠構造体のベースとこの机の支持脚とが干渉することなく枠構造体の幅一杯に確保されているので、この机の天板下の支持脚間に形成される下肢空間を広くでき、さらにその下肢空間にワゴン等を収納するスペースを広く取るなど、枠構造体前方の空間をフルに利用できるようになる。
加えて、本発明の枠構造体では、そのベースを、前後に延びる形状をなすベース本体と、前記ベース本体の外方に支柱を取り付ける支柱取付部と、前記ベース本体の内方に下枠部材を取り付ける下枠部材取付部とを一体に備えるように構成したので、すなわちベースに支柱取付部と下枠部材取付部とを一体に備えたので、枠体に対する十分な支持強度が確保できる。従って、支柱をベースの外方に位置付けた場合に、単純に支柱の下端部間に下枠部材を取り付け、下枠部材にさらにベースを取り付けた際に発生しうる不具合、具体的にはそれぞれの接合部においてねじれや歪み等に対する強度低下を解消できる。
【００１１】
天板の有効使用面積を広く取るとともに、この机と枠構造体とからなる組を左右に略隙間なく並べて配置できるようにするには、前記天板の幅寸法を、前記枠構造体の外側面間の距離と略一致させ、前記支持脚を前記枠構造体のベースの外側に配置し、反使用端に前記枠構造体を最大限近づけた状態で前記天板の側面が前記枠構造体の外側面と面一ないし略面一となるように構成すればよい。
【００１２】
机単体で用いる場合に前後両側を使用端に設定できるようにするには、前記支持脚が、鉛直方向に起立して天板を支持する支持脚本体と、この支持脚本体の下端部から前後対称に突出させた机ベースとからなるようにすればよい。このような構成とすることで、机を天板の奥行き方向中央部を横切る線を対称軸とした前後対称な構成にすることができるので、両側から同様に使用できるようになるからである。
【００１３】
【発明の実施の形態】
以下、本発明の一実施形態について図面を参照して説明する。
【００１４】
図１は、本実施形態に係る机Ｄ及びＤ’の各反使用端１０ｂ、１０’ｂに枠構造体Ｆを接近させて使用する態様を示している。
【００１５】
まず、本実施形態に係る机Ｄは、その側面図を図２に示すように、天板１０と、天板１０の左右両端部を支持する１対の支持脚２０とからなる。
【００１６】
天板１０は、その下面の左右両端を前記支持脚２０に支持させてある平面視矩形状の板材からなるものである。前記支持脚２０は、図２に示すように、天板１０の下面の両側端部に沿って鉛直方向に延びる支持脚本体２０１と、前記支持脚本体の上端部に設けた天板受け２０２と、前記支持脚本体２０１の下端部から前後対称に突出させた机ベース２０３とからなる。この支持脚２０は、その奥行き方向中央部及び天板１０の奥行き方向中央部を横切りそれらの幅方向に延びる起立面平面ｔ１に対して前後対称に構成してある。
【００１７】
具体的には、支持脚本体２０１は、外支持脚２０１ａ内に内支持脚２０１ｂを嵌め入れた二重構造をなし、外支持脚２０１ａを机ベース２０３に、内支持脚２０１ｂを天板受け２０２にそれぞれ固定するようにしている。また、内支持脚２０１ｂを外支持脚２０１ａに対して上下にスライドさせることで天板１０の高さを変更し得るようにしている。
【００１８】
天板受け２０２は、平面視矩形の板状をなすものであり、その下面中央部を支持脚本体２０１の上端にねじ等を利用して固定するようにしている。また、天板受け２０２の奥行き方向中央部を天板１０の奥行き方向中央部に合致させ、その前後両端部を、天板１０に対してねじ等を利用して固定し、天板１０を前記起立面ｔ１に対して前後対称となるように保持するようにしてある。さらに、１対の天板受け２０２の内側面の中央部間には、左右に延びる角柱状の補強材（図示省略）を横架させて、机Ｄの構造強度の向上を図っている。
【００１９】
机ベース２０３は、概略前後方向に延びる平板状のものであり、奥行き方向中央部から前後対称に突出する形状をなしている。また、その上面中央部を、支持脚本体２０１の下端にねじ止めするなどして固定するようにしている。さらに、その下端部における前後両端部には、高さ調整のためのアジャスタ２０４が設けてある。このような構成に基づき、本実施形態の机Ｄは、この支持脚２０の上面に前記天板１０を机Ｄが前後対称になるように保持されている。なお、前記机ベース２０３の外端面２０３ａは、天板１０の外端面１０ｃと略同一平面上に位置するようにしてある。
【００２０】
図２に示すように、このような机Ｄは、支持脚２０及び天板１０が前記起立面ｔ１に対して前後対称に構成されているので、机Ｄ全体は平面ｔ１を挟んで前後対称となり、前端部及び後端部のいずれも使用端１０ａとすることができるものである。
【００２１】
本実施形態に係るもう１台の机Ｄ’は、図１に示すように、天板１０’と、机Ｄに用いられたものと略同様に構成した支持脚２０とからなる。
【００２２】
前記机Ｄと構成の異なる天板１０’は、図示例では使用端１０’ａにおける幅方向中央部を湾曲させて奥方へ窪ませるとともに、右側端部を使用者（図示省略）側へ大きく張り出させた形状を有するいわゆる異形天板であり、反使用端１０’ｂは前記机Ｄと同様に直線的なものとしている。その他、机Ｄ’の支持脚２０の構成は机Ｄと同一であるので、説明は省略する。
【００２３】
次に、本実施形態に係る枠構造体Ｆは、図３〜図１１に示すように、パネルＰや棚板Ｂなどのオプション部材を正面及び背面の両側から取り付け可能な枠体１と、この枠体１を自立可能に支持する左右１対のベース２とからなる。
【００２４】
前記枠体１は、図３〜図７に示すように、左右に離間させて配置した１対の縦枠部材３と、前記縦枠部材３の上端部間に横架した上枠部材４と、前記縦枠部材３の下端部間に横架した下枠部材５とからなる。なお、本実施形態では、縦枠部材３の下端部と下枠部材５の両端との間にベース２を介在させている。
【００２５】
前記縦枠部材３は、図８に示すように、上下方向に延びる横断面視コの字形をなすスチール製チャネル状からなるオプション取付部３１と、オプション取付部３１の前壁３１１及び後壁３１２を外側から抱く姿勢で配置され、平面視小判状をなすアルミ押出成形材である縦枠部材本体３２とからなる。オプション取付部３１の前壁３１１及び後壁３１２の内側端部を前後方向に連結する側壁３１３には、図９に示すようなパネルＰを取り付けるためのパネル取付用フック孔Ｈ３を前壁９ｂ及び後壁９ｃの双方に設けた図１０及び図１１に示すパネル取付用ブラケット９を取り付けるための側面フック孔Ｈ１を形成している。また、前壁３１１及び後壁３１２には図１２に示すような棚板Ｂを取り付けるためのフック孔Ｈ２を、図９に示すように、前後に対をなしてそれぞれ形成してある。一方、図８に示すように、縦枠部材本体３２は、その外側壁３２１と内側壁３２２との前後両端部を平面視半円形状をなす湾曲壁３２３によってそれぞれ連続させてある。縦枠部材本体３２の内側壁３２２の奥行き方向中央部には、前記オプション取付部３１の前壁３１１及び後壁３１２を前後方向に挟み込みかつそれらの幅寸法の大半を飲み込み得るように、上下方向に延びる平面視コの字状の溝３２２ａを形成してある。また、この溝３２２ａの奥行き方向中央部には、オプション取付部３１側に突出させた突条３２２ｂを形成しており、この突条３２２ｂを前記オプション取付部３１の側壁３１３における内面側に突き当てた状態で、図３及び図９のビス６３により固定するようにしてある。また、図８に示すように、縦枠部材本体３２の外側壁３２１と内側壁３２２との間には、それらと直交する姿勢で前後方向に対をなす隔壁３２４を設けている。さらに、この隔壁３２４の下端部には、それそれ平面視Ｃ字状をなして上下に延び、その内面にベース２にねじ止めするための雌ねじ３２４ｂを形成した筒状部３２４ａを設けてある。そして、この縦枠部材本体３２の外側壁３２１と、内側壁３２２における奥行き方向中央部と、両隔壁３２３とで包囲された部分はベース２との間で位置決めを行うための上下に貫通する凹部３２５を形成している。なお、本実施形態では、両縦枠部材３の外壁３２１の外面間の距離は、机Ｄの天板の幅寸法に一致させてある。また、外側壁３２１の奥行き方向中央部には、デザインの向上のために浅い溝３２１ａを形成してある。また、縦枠部材３の上端部には、キャップ部材６４を設けて内部構造を隠蔽し、外観の向上を図っている。
【００２６】
前記上枠部材４は、左右に延びる角パイプ状をなすものであり、縦枠部材３を構成するオプション取付部３１の上端部に内向きに突出させて形成した図示しない突起をそれぞれ両端部側に挿入させた姿勢で、それら縦枠部材３の上端部間に横架させるようにしてある。この上枠部材４とそれに挿入される突起とは、図示しないボルト等により固定されるようにしてある。
【００２７】
前記下枠部材５は、左右に延びる角パイプ状をなすものであり、その内部に側方からベース２に設けた後述する突起部８３を挿入させることにより、ベース２に支持させると同時にこのベース２を挟んで前記縦枠部材３の下端部間に横架させるようにしてある。また、その両側端部における内部には、内向面側に上下に対をなすベース２にねじ止めするためのナット５２を溶接して設けた矩形板状のナット板５１を設けてある。
【００２８】
前記ベース２は、図７及び図８に示すように、いずれも前後に延びる形状をなすベース本体６と、前記ベース本体６から前記机ベース２０２の幅寸法以上の所定距離だけ外方に偏位させて縦枠部材３を取り付ける縦枠部材取付部７と、前記ベース本体６の内方に偏位する位置に下枠部材５を取り付ける下枠部材取付部８とを一体に備えている。
【００２９】
具体的には、図７及び図８に示すように、前記ベース本体６は、一箇所に基端部６１ａを集合させ相反する方向に延び同一形状をなす一対のベース要素６１を備えている。これらベース要素６１は、連続して設けられる上壁６１１、外側壁６１２、内側壁６１３、及び先端壁６１４を有し、これら各壁によって包囲される内部を空洞部６１５として先端部を除き底面側を下方に開口している。そして、１対のベース要素６１は、基端部の底面側において空洞部６１５を連続させている。また、両ベース要素６１の上壁６１１を、基端部から先端部に向けて漸次低くなるように傾斜する形状としている。さらに、これらベース要素６１の中実な先端部における底面側には、それぞれ接地部たるアジャスタ６２を下方から取り付けている。また、ベース本体６の長手方向中央部となる各ベース要素６１の基端部において、それらの上壁６１１及び外側壁６１２を外側方へ突出させて、前記縦枠部材３を支持する縦枠部材取付部７を形成している。また、ベース要素の基端部には、前記縦枠部材取付部７とは反対方向すなわち内側方に向けて上壁６１１及び内側壁６１３を突出させることによって、前記下枠部材５を１対のベース２間に取り付けるための下枠部材取付部８を形成している。なお、ベース要素６１の空洞部６１５は、これら縦枠部材取り付け部７及び下枠部材取付部８にも連続させている。
【００３０】
前記縦枠部材取付部７は、ベース本体６の外方に前記机ベース２０２の幅寸法以上の所定距離だけ偏位する位置に形成されたものであり、具体的にはベース要素６１の上壁６１１及び外側壁６１２をそれぞれ連続的に外側方へ突出させた上壁７１及び周壁７２を有する平面視概略小判型をしている。この上壁７１には、その上面から平面視凸型をなして突出する凸部７３を形成しており、この凸部７３を前記凹部３２５に挿入して位置決めを行うようにしてある。なお、この凸部７３における外側面には前述した縦枠部材の外側壁３２１に設けた溝３２１ａに対応してそれを受け入れられるようにした溝７３ａを形成してある。また、その凸部７３を挟む２箇所に、上壁７１を上下に貫通させたボルト挿通孔７４を対に設けている。
【００３１】
前記下枠部材取付部８は、ベース要素６１の上壁６１１及び内側壁６１３をそれぞれ連続的に内側方へ突出させた上壁８１及び内向壁８２とを有する内側面視概略正方形状をなすものである。内向壁８２の中央部には、内側面視概略正方形状をなす突起部８３をさらに内側方へ突出させて設けており、この突起部８３を前記下枠部材５に設けたナット板５１に、前記内向壁８２を前記下枠部材５の端面５ａにそれぞれ当てるように突起部８３を前記下枠部材５の両端部に挿入して下枠部材５の位置決めを行うようにしてある。そして、この突起部８３を含む内向壁８２の厚みを貫通させて、上下に対をなすボルト挿通孔８４を形成してある。
【００３２】
また、この枠構造体Ｆに取付可能なオプション部材として、パネルＰ及び棚板Ｂが挙げられる。パネルＰは、図１及び図９に示すように、パネル取付用ブラケット９を介して枠構造体Ｆに取り付けられる正面視矩形状をなす板状のものであり、その背面の左右両端部に板金を折り曲げて形成した取付部Ｐ１をそれぞれ設けている。取付部Ｐ１は、その背面にパネル取付用ブラケット９に備えたパネル取付用フック孔Ｈ３の高さに対応する位置にフックＰ１ａを左右対にして設けている。
【００３３】
パネル取付用ブラケット９は、図９、図１０、及び図１１に示すように、板金素材を折り曲げて形成したチャネル状のものであって、その側壁９ａの内向き面にフック９１を設けてあり、縦枠部材３の内側面に設けた側面フック孔Ｈ１に係り合わせて枠構造体Ｆに取り付けるようにしている。そして、このパネル取付用ブラケット９に対してさらにパネルＰを取り付けるために、パネル取付用フック孔Ｈ３を前壁９ｂ及び後壁９ｃの双方に設けている。
【００３４】
棚板Ｂは、図１、図９、及び図１２に示すように、平面視概略矩形状をなすように板金素材を折り曲げ形成したものであり、その背面には枠構造体Ｆに取り付けるためのフックＢ１を形成している。そして、このフックＢ１を縦枠部材３の前面に設けたフック孔Ｈ２に係り合わせて取り付けるようにしている。
【００３５】
この枠構造体Ｆの組み立ては、次のようにして行われる。すなわち、図８に示すように、まず、ベース２の下枠部材取付部８における突起部８３を下枠部材５の両端部に挿入し、その状態で、ボルト８５をベース本体６の空洞部６１５側からボルト挿通孔８４に差し込んで、前記ナット板５１のナット５２にそれぞれ締着してベース２間に下枠部材５を固定する。そして、縦枠部材３と上枠部材４とをあらかじめ門形に組み立てておき、その状態で、縦枠部材３の凹部３２４における下端部にベース２の縦枠部材取付部７における凸部７３を挿入して位置決めし、その上でベース２の空洞部６１５側からボルト７５をボルト挿通孔７４に差し込んで、縦枠部材３の筒状部３２４ａに設けた雌ねじ孔３２４ｂにそれぞれ締着してベース２に縦枠部材３を固定する。前記縦枠部材取付部７は、ベース本体６の外方に前記机ベース２０２の幅寸法以上の所定距離だけ偏位する位置に形成されているので、ベース本体６は、縦枠部材３よりも前記所定距離だけ内方に位置付けられることになる。
【００３６】
さらに、図９に示すように、枠体１の上端部側において、オプション取付部３１の側壁３１３に設けた側面フック孔Ｈ１にパネル取付用ブラケット９のフック９１を係り合わせてパネル取付用ブラケット９を取り付け、このパネル取付用ブラケット９の後壁９ｃに設けたパネル取付用フック孔Ｈ３にパネルＰの背面の取付部Ｐ１に設けたフックＰ１ａを係り合わせてパネルＰを取り付ける。なお、前記パネル取付用フック孔Ｈ３は、パネル取付用ブラケット９の前壁９ｂにも設けてあり、その前面側にも同様にパネルＰを取り付けることができる。一方、オプション取付部３１の前壁３１１に設けたフック孔Ｈ２には、棚板Ｂの後部に設けたフックＢ１を係り合わせて棚板Ｂを取り付ける。なお、本実施形態では、パネルＰを机Ｄ、Ｄ’の天板１０、１０’より上方に２枚設けてデスクトップパネルとして利用できるようにしており、本実施形態では、２枚のパネルＰの境界位置に棚板Ｂを設けている。また、オプション取付部３１の後壁３１２にも前面と同様フック孔Ｈ２が設けてあり、棚板Ｂを同様に取り付けることができる。
【００３７】
このようにして構成した前記枠構造体Ｆを、図１及び図１３（ａ）に示すように前記机Ｄの反使用端１０ｂ及び机Ｄ’の反使用端１０’ｂにより挟むようにこれら机Ｄ、Ｄ’に近づけると、枠構造体Ｆのベース２は枠構造体Ｆの最も外側にある縦枠部材３よりも前記机ベース２０３の幅寸法以上の所定距離だけ内側に配置させてあり、その一方で机ベース２０３は前記枠構造体Ｆと同一の幅寸法を有する机Ｄの両端部に配置されているので、机ベース２０３の内側に枠構造体Ｆのベース２が配置される。従って、枠構造体Ｆのベース２と机ベース２０３とが干渉することなく枠構造体Ｆを机Ｄの反使用端１０ｂ及び机Ｄ’の反使用端１０’ｂに一杯に寄せることができる。さらに、机Ｄの天板１０及び机Ｄ’の天板１０’の幅寸法は枠構造体Ｆの幅寸法と同一にしたので、天板１０、１０’の外側面１０ｃ、１０’ｃは、枠構造体Ｆの外側面と略面一になる。従って、枠構造体Ｆのベース２の前方及び後方に空間ができ、天板１０、１０’下の机の支持脚２０間に形成される下肢空間Ｓを広く確保できる。なお、このようにして形成された下肢空間Ｓには、図１３（ａ）に示すように、ワゴンＷ等を収納してもなお、下肢空間Ｓは十分広いものとすることができる。
【００３８】
以上詳述したように、本実施形態に係る枠構造体Ｆは、パネルＰや棚板Ｂ等のオプション部材を取り付け可能な枠体１と、この枠体１を自立可能に支持する左右１対のベース２とからなり、前記ベース２を前記枠体１の最も外側の面よりも所定距離内方に位置付け、同一の幅寸法を有する机Ｄの反使用端１０ｂ側に配置した場合に、この机Ｄの左右１対の支持脚２０を、前記各ベース２の外側にそれぞれ配置し得るようにしたものである。
【００３９】
一方、本実施形態にかかる机Ｄは、前記枠構造体Ｆと同一の幅寸法を有し、前記枠構造体Ｆを天板１０の反使用端１０ｂ側に配置した場合に、左右１対の支持脚２０が、前記枠構造体Ｆの各ベース２の外側にそれぞれ配置されるように構成したものである。
【００４０】
このように構成したので、机Ｄの反使用端１０ｂをこの枠構造体Ｆに接近させると、机Ｄの支持脚２０がベース２の外側に配置され、この枠構造体Ｆのベース２と机ベース２０３とを干渉させることなく枠構造体Ｆを机Ｄの反使用端１０ｂに一杯に近づけることができるので、枠構造体Ｆと机Ｄの間に無駄なスペースが生じることがなく、室内空間を存分に利用して、オフィスレイアウトの自由度を飛躍的に向上することができる。また、机本来の機能は机Ｄに果たさせる一方で、棚やデスクトップパネル等のオプション的な機能は枠構造体Ｆに担わせることができる。さらに、枠構造体Ｆの机Ｄの反対側に、机Ｄ’をこの枠構造体Ｆのベース２と机Ｄ’の机ベース２０３とを干渉させることなく、枠構造体Ｆを机Ｄ’の反使用端１０’ｂに一杯に近づけることができ、またオプション部材を両側に設置可能にしたので、オフィスレイアウトの自由度をさらに飛躍的に向上することができる。
【００４１】
ここで、枠構造体のベースと机の机ベースとを干渉させない構成としては、枠構造体のベースを机の机ベースの外側に配置したものが考えられる。具体的には、図１３（ｂ）に示すように、枠構造体ＡＦは、支柱Ａ３の外側面とベースＡ２の外側面とが略面一となる位置にベースＡ２を設けたものである。一方、机ＡＤは、その天板Ａ１０の外側面Ａ１０ｃより内側で、さらに枠構造体ＡＦのベースＡ２より内側の位置に支持脚本体Ａ２０１及び机ベースＡ２０３を配置したものである。そして、これらを枠構造体ＡＦが机ＡＤの反使用端Ａ１０ｂに一杯に接近するようにそれぞれは位置している。この場合、図１３（ａ）に示したものと同様のワゴンＷを天板Ａ１０の下方の支持脚Ａ２０間に形成される空間ＡＳに配置すると、図１３（ｂ）に示すように、枠構造体ＡＦのベースＡ２の幅寸法分だけ下肢空間ＡＳが狭くなってしまい、ワゴンＷを配置すると使用可能な下肢空間ＡＳに余裕がなくなるという不具合が生じる。従って、本実施形態のように構成することにより、図１３（ｂ）に示した枠構造体ＡＦと机ＡＤを用いる構成と比較して、机Ｄの天板１０下方の支持脚２０間に形成される使用可能な下肢空間Ｓをより広く確保することができ、図１３（ａ）に示すように、ワゴンＷ等を収納してもなお、下肢空間Ｓは十分余裕のあるものとすることができる。
【００４２】
また、枠体１を、左右に離間させて配置した１対の縦枠部材３と、前記縦枠部材３の上端部間に横架した上枠部材４と、前記縦枠部材４の下端部間に横架した下枠部材５とからなるようにし、前記下枠部材５の両端部に前記ベース２を取り付けるよう構成したので、一般的な枠構造体に用いられる部品をそのまま使用できる。
【００４３】
さらに、前記ベース２を、前後に延びる形状をなすベース本体６と、前記ベース本体６の外方に縦枠部材３を取り付ける縦枠部材取付部７と、前記ベース本体６の内方に下枠部材５を取り付ける下枠部材取付部８とを一体に備えるようにして、枠体に対する支持強度を確保したので、単純に縦枠部材３の下端部間に下枠部材５を取り付け下枠部材５にさらにベース２を取り付けた場合にそれぞれの接合部において生じるねじれや歪み等に対する強度低下を防ぐことができる。
【００４４】
また、前記枠構造体Ｆの外側面間の距離を天板１０、１０’の幅寸法と略一致させ、前記枠構造体Ｆのベース２の外側に机Ｄの支持脚２０を配置し、反使用端１０ｂに前記枠構造体Ｆを最大限近づけた状態で前記天板１０、１０’の外側面１０ｃ、１０’ｃが前記枠構造体Ｆの外側面と面一ないし略面一となるように構成したので、天板１０の面積を広く取るとともに、この机Ｄと枠構造体Ｆとからなる組を左右に略隙間なく並べて配置できる。
【００４５】
加えて、机Ｄ、Ｄ’の支持脚２０を、鉛直方向に起立した支持脚本体２０１と、前記支持脚本体２０１の下端部から前後対称に突出させた机ベース２０３とからなるようにしたにもかかわらず、その配置位置は枠構造体Ｆのベース２よりも外側であるため、机ベース２０３とベース２とが干渉することがない。そのうえ、机Ｄにおいては天板１０を矩形状として前後対称となるように支持脚２０に支持させるようにしているので、前後端いずれも使用端１０ａとして好適に使用することができる。
【００４６】
なお、本発明は、以上に述べた実施形態に限られない。例えば、図１４に示す枠構造体Ｆ’のベース２’を、一方だけに突出させた実施形態が考えられる。この実施形態に係る枠構造体Ｆ’は、ベース２’が突出していない側を壁面に沿って配置させるのに適している。
【００４７】
また、机Ｄの支持脚２０は、ベース２０３を伴ったもの以外に、天板１０の四隅を柱状の支持脚で支持する形態でもよい。机Ｄの天板１０の幅寸法は、枠構造体Ｆの外側面間の距離と完全に一致していなくても、大概一致していればよい。さらに、天板１０の形状は、幅寸法を枠構造体Ｆの外側面間の距離と完全に又は略一致させてあれば、例えば使用端の右側を張り出させた図１の机Ｄ’のような形状等、自由に設定することが可能である。
【００４８】
ベース２と下枠部材５の取り付けは、上述したように縦枠部材３の下端部間にベース２をそれぞれ挟んで下枠部材５を架け渡す以外に、例えば下枠部材５の両端から机ベース２０３の幅寸法分だけ内方の位置にベース２をあらかじめ一体に備えておいてこれを縦枠部材３の下端部間に横架させるなど、他の態様も可能である。また、下枠部材５の取付位置も、縦枠部材３の下端部間以外に、例えば縦枠部材の高さ方向中央部の内側面間等、上枠部材４より下方であればどこでもよい。この場合、ベース２に枠体支持脚と連結するための枠体支持脚を一体に設けておくこと等が考えられる。
【００４９】
そして、パネルＰは、机Ｄ、Ｄ’の天板１０、１０’から下方位置にも設けて幕板として使用してもよい。また、パネル取付用ブラケット９は、前述した実施形態におけるパネル取付用ブラケット９のようなフック９１を有さないチャネル状のものであってもよく、その場合はパネル取付用ブラケット９をオプション取付部３１にねじ止めなどにより取り付けるようするとよい。さらに、パネル取付用ブラケットは、板金以外にも、樹脂等他の材料からなるものとしてもよい。
【００５０】
さらに、オプション部材としては、前述した実施形態で挙げたパネルＰや棚板Ｂ以外にも、例えば図１５に示すように、外側面にフックＸ１、内側面の前後端にガラス板取付溝ＸＭ１をそれぞれ有するガラス板取付部材Ｘを介してガラス板Ｇを取り付けることができる。このガラス板Ｇの取り付けは、同図に示すように、縦枠部材３の内側面に設けたフック孔Ｈ１に、ガラス板取付部材ＸのフックＸ１を係り合わせてガラス板取付部材Ｘを取り付け、このガラス板取付部材Ｘの内面に設けたガラス板取付溝ＸＭ１にガラス板Ｇを嵌め込んで取り付けることができる。それ以外にも、背面に棚板Ｂの背面に設けたものと同様のフックを有する補助天板など、種々のオプション部材を取り付け可能である。
【００５１】
【発明の効果】
本発明は、以上に詳述したように枠構造体を構成する枠体の幅寸法を机と同一又は略同一とし、枠構造体のベースを枠体の最も外側の面よりも所定距離内方に位置付け、その一方で机の左右１対の支持脚が天板の両側端部を支持するように構成したので、机の反使用端に枠構造体に接近させると、机の支持脚がベースの外側に配置されて、机の支持脚が枠構造体のベースに干渉することなく、机の反使用端に枠構造体を一杯に近づけることができる。そのため、机本来の機能は机に果たさせる一方で、棚やデスクトップパネル等のオプション的な機能は枠構造体に担わせることができる。従って、枠構造体と机の間に無駄なスペースを生じることなく、室内空間を存分に利用して、オフィスレイアウトの自由度を飛躍的に向上することができる。
【図面の簡単な説明】
【図１】本発明の一実施形態に係る机及び枠構造体の一配置例を示す全体斜視図。
【図２】同実施形態に係る机の側面図。
【図３】同実施形態に係る枠構造体の斜視図。
【図４】同実施形態に係る枠構造体の正面図。
【図５】同実施形態に係る枠構造体の側面図。
【図６】同実施形態に係る枠構造体の平面図。
【図７】同実施形態に係る枠構造体の概略底面図。
【図８】同実施形態に係る枠構造体におけるベースと縦枠部材と下枠部材との取付構造を示す分解斜視図。
【図９】同実施形態に係る枠構造体におけるパネル及び棚板の取付構造を示す分解斜視図。
【図１０】同実施形態に係る枠構造体に取り付けられるパネル取付用ブラケットの全体側面図。
【図１１】同実施形態に係る枠構造体に取り付けられるパネル取付用ブラケットの全体斜視図。
【図１２】同実施形態に係る枠構造体に取り付けられる棚板の全体側面図。
【図１３】図１に示す机及び枠構造体の一配置例と他の構成の机及び枠構造体を用いた配置例との比較を示す平面図。
【図１４】本発明の別実施形態において机及び枠構造体の一配置例を示す斜視図。
【図１５】同実施形態に係る枠構造体におけるガラス窓及び棚板の取付構造を示す分解斜視図。
【符号の説明】
Ｆ、Ｆ’…枠構造体
Ｄ、Ｄ’…机
１…枠体
２、２’…ベース
３…縦枠部材
４…上枠部材
５…下枠部材
６…ベース本体
７…縦枠部材取付部
８…下枠部材取付部
１０、１０’…天板
１０ｂ、１０’ｂ…反使用端
２０…支持脚
２０１…支持脚本体
２０３…机ベース
Ｐ…パネル
Ｂ…棚板
【図１】
0003913511.tif 000002
【図２】
0003913511.tif 000003
【図３】
0003913511.tif 000004
【図４】
0003913511.tif 000005
【図５】
0003913511.tif 000006
【図６】
0003913511.tif 000007
【図７】
0003913511.tif 000008
【図８】
0003913511.tif 000009
【図９】
0003913511.tif 000010
【図１０】
0003913511.tif 000011
【図１１】
0003913511.tif 000012
【図１２】
0003913511.tif 000013
【図１３】
0003913511.tif 000014
【図１４】
0003913511.tif 000015
【図１５】
0003913511.tif 000016